(57)【要約】      （修正有）【課題】測量したデータを読み取るための特定のソフトウエアのインストールを必要とせず、またコンピュータと信号伝送ケーブルなどで接続することなく使用できるモバイルタイプの測量装置を提供する。【解決手段】モバイルタイプの測量装置は、ディスプレィ１０と、複数のキーと、センサ４０により構成する。さらに、該装置本体にＵＳＢメモリ挿入に供するＵＳＢポート７０を具え、かつ装置内部にマイクロプロセッサ２０と、センサ回路３０と、ＵＳＢメモリドライバー回路５０を具える。該マイクロプロセッサは、該ディスプレィと、該メモリカードドライバー回路と、該センサ回路とに電気的に接続する。又、該センサ回路は該センサに電気的に接続し、該ＵＳＢポートは該ＵＳＢメモリドライバー回路に電気的に接続し、該複数のキーは電源に電気的に接続して開閉を制御するとともに、必要において該ディスプレィの表示モードの選択などを行う。【選択図】図４
0003160908.tif 000002
【実用新案登録請求の範囲】
【請求項１】
装置本体にディスプレィと、複数のキーと、センサを具えるモバイルタイプの測量装置であって、
該装置本体にＵＳＢメモリ挿入に供するＵＳＢポートを具え、かつ装置内部にマイクロプロセッサと、センサ回路と、ＵＳＢメモリドライバー回路を具え、該マイクロプロセッサは、該ディスプレィと、該メモリカードドライバー駆動回路と、該センサ回路とに電気的に接続し、該センサ回路は該センサに電気的に接続し、該ＵＳＢポートは該ＵＳＢメモリドライバー回路に電気的に接続し、該複数のキーは電源に電気的に接続して開閉を制御するとともに、必要において該ディスプレィの表示モードの選択などを行うことを特徴とするモバイルタイプの測量装置。
【請求項２】
前記ＵＳＢメモリのデータファイルフォーマットがMicrosoft
Excel（登録商標）プログラムで直接読み取ることができるフォーマットであることを特徴とする請求項１に記載のモバイルタイプの測量装置。
【請求項３】
前記測量装置が湿度、電圧、電流、温度、パワー、音量、圧力、気圧、pH値、電導度、磁場、電磁場、一酸化炭素濃度、二酸化炭素濃度、振動、回転速度、水分、塩素、濁りの度合い、酸素、もしくは風速などの測定に応用されることを特徴とする請求項１に記載のモバイルタイプの測量装置。
【考案の詳細な説明】
【技術分野】
【０００１】
この考案は測量装置に関し、特にコンピュータによって測量したデータを読み取る小型の測量装置に関する。
【背景技術】
【０００２】
従来のモバイルタイプの小型測量装置は、信号出力ポートを具え、環境測量を行う場合にコンピュータと合せ用い、伝送ケーブルなどでコンピュータと接続して測量装置が測量した情報を分析して読み取る。コンピュータには特定のソフトウエアをインストールしなければ、採集したデータをコンピュータに送信することができない。よって、極めて不便であって、改善が望まれる。
【考案の概要】
【考案が解決しようとする課題】
【０００３】
この考案は、測量したデータを読み取るための特定のソフトウエアのインストールを必要とせず、またコンピュータと信号伝送ケーブルなどで接続することなく使用できるモバイルタイプの測量装置を提供することを課題とする。
【課題を解決するための手段】
【０００４】
そこで、本考案者は従来の装置に見られる欠点に鑑み鋭意研究を重ねた結果、ＵＳＢメモリを記録媒体として測量データを保存する機能を有する測量装置によって課題を解決できる点に着眼し、かかる知見に基づいて本考案を完成させた。
【０００５】
以下、この考案について具体的に説明する。
請求項１に記載する測量装置は、装置本体にディスプレィと、複数のキーと、センサを具えるモバイルタイプの測量装置であって、
該装置本体にＵＳＢメモリ挿入に供するＵＳＢポートを具え、かつ装置内部にマイクロプロセッサと、センサ回路と、ＵＳＢメモリドライバー回路を具え、該マイクロプロセッサは、該ディスプレィと、該メモリカードドライバー駆動回路と、該センサ回路とに電気的に接続し、該センサ回路は該センサに電気的に接続し、該ＵＳＢポートは該ＵＳＢメモリドライバー回路に電気的に接続し、該複数のキーは電源に電気的に接続して開閉を制御するとともに、必要において該ディスプレィの表示モードの選択などを行う。
【０００６】
上述する構成によれば、信号伝送ケーブルなどで測量装置とコンピュータとを接続して測量データの読み取りを行う必要がないため、取り扱いが便利になる。
【０００７】
請求項２に記載する測量装置は、請求項１におけるＵＳＢメモリのデータファイルフォーマットがMicrosoft Excel（登録商標）プログラムで直接読み取ることができるフォーマットである。
【０００８】
したがって、この考案による測量装置で測量したデータをコンピュータで読み取る場合、専用の特殊なプログラムをコンピュータにインストール必要がなくなる。
【０００９】
請求項３に記載する測量装置は、請求項１における測量装置であって、かつ湿度、電圧、電流、温度、パワー、音量、圧力、気圧、pH値、電導度、磁場、電磁場、一酸化炭素濃度、二酸化炭素濃度、振動、回転速度、水分、塩素、濁りの度合い、酸素、もしくは風速などの測定に応用される。
【考案の効果】
【００１０】
この考案による測量装置は、測量したデータを読み取るための特定のソフトウエアのインストールを必要とせず、またコンピュータと信号伝送ケーブルなどで接続することなく使用できるため、使用上の利便性が得られるという利点を有する。
【図面の簡単な説明】
【００１１】
【図１】この考案による測量装置の正面図である。
【図２】この考案による測量装置の平面図である。
【図３】この考案による測量装置の底面図である
【図４】この考案による測量装置の構造を示したブロック図である。
【考案を実施するための形態】
【００１２】
この考案は、測量したデータを読み取るための特定のソフトウエアのインストールを必要とせず、またコンピュータと信号伝送ケーブルなどで接続することなく使用できるモバイルタイプの測量装置を提供するものであって、例えばＵＳＢメモリなどの記憶媒体を介して測量したデータをコンピュータで読み取るように構成する。
かかる測量装置の構造と特徴を説明するために、具体的な実施例を挙げ、図面を参照にして以下に説明する。
【００１３】
図１から４に開示するように、この考案によるモバイルタイプの測量装置は、装置本体にディスプレィ１０と、センサ４０と、ＵＳＢメモリ６０を挿入するＵＳＢポート７０と、及び複数のキーなどを具え、かつ装置内部にマイクロプロセッサーサー２０と、センサ回路３０と、ＵＳＢメモリドライバー回路５０とを具える。図４に開示するように、マイクロプロセッサ２０は、ディスプレィ１０と、ＵＳＢメモリドライバー回路５０と、センサ回路３０とに電気的に接続し、センサ回路３０はセンサ４０に電気的に接続するとともに、ＵＳＢポート７０はＵＳＢメモリドライバー回路５０に電気的に接続する。複数のキーは電源（図示しない）に電気的に接続して開閉を制御するとともに、必要においてディスプレィ１０の表示モードの選択などを行う。
【００１４】
この考案による測量装置を使用する場合、ＵＳＢポート７０にＵＳＢメモリ６０を外部から挿入し、測量装置のセンサ４０によって測量を行い、データを得る。得られたデータと、測量した時間は、直接ＵＳＢメモリ６０に保存する。
【００１５】
ＳＤメモリカード６０に記録されるデータのファイルフォーマットは、Microsoft
Excel（登録商標）などのプログラムで直接読み取れるフォーマットとする。
【００１６】
測量したデータの保存が終了した後は、ＳＤメモリカード６０を抜いてコンピュータのカードリーダーに挿入するだけで、コンピュータのMicrosoft Excel（登録商標）等のプログラムで直接読み取り、さらに一歩進んだデータ分析を行うことができる。
【００１７】
したがって、従来の測量装置のように信号伝送ケーブルを介してコンピュータに接続する必要がなく、測量地点で測量を行際に発生する不便を解消することができる。
【００１８】
この考案による測量装置は、湿度 (Humidity)、電圧(Voltage)、電流(Current)、温度(Temperature)、パワー(Power)、音量(Sound level)、圧力(Pressure)、気圧(Barometer)、pH値、電導度(Conductivity)、磁場(Magnetic)、電磁場(Electro magnetic field)、一酸化炭素(Carbon monoxide)濃度、二酸化炭素(Carbon dioxide)濃度、振動（Vibration）、回転速度（RPM）、水分（Moisture）、塩素（Chlorine）、濁りの度合い（Turbidity）、酸素（Oxygen）、もしくは風速（Air Velocity）などの測定に応用することができる。
【符号の説明】
【００１９】
１０     ディスプレィ
２０     マイクロプロセッサ
３０     センサ回路
４０     センサ
５０     ＵＳＢメモリドライバー回路
６０     ＵＳＢメモリ
７０     ＵＳＢポート
【図１】
0003160908.tif 000003
【図２】
0003160908.tif 000004
【図３】
0003160908.tif 000005
【図４】
0003160908.tif 000006
【手続補正書】
【提出日】平成22年5月7日(2010.5.7)
【手続補正１】
【補正対象書類名】実用新案登録請求の範囲
【補正対象項目名】全文
【補正方法】変更
【補正の内容】
【実用新案登録請求の範囲】
【請求項１】
装置本体にディスプレィと、複数のキーと、センサを具えるモバイルタイプの測量装置であって、
該装置本体にＵＳＢメモリ挿入に供するＵＳＢポートを具え、かつ装置内部にマイクロプロセッサと、センサ回路と、ＵＳＢメモリドライバー回路を具え、該マイクロプロセッサは、該ディスプレィと、該メモリカードドライバー駆動回路と、該センサ回路とに電気的に接続し、該センサ回路は該センサに電気的に接続し、該ＵＳＢポートは該ＵＳＢメモリドライバー回路に電気的に接続し、該複数のキーは電源に電気的に接続して開閉を制御するとともに、必要において該ディスプレィの表示モードの選択などを行うことを特徴とするモバイルタイプの測量装置。
【請求項２】
前記ＵＳＢメモリのデータファイルフォーマットがMicrosoft Excel（登録商標）プログラムで直接読み取ることができるフォーマットであることを特徴とする請求項１に記載のモバイルタイプの測量装置。
【手続補正２】
【補正対象書類名】明細書
【補正対象項目名】０００９
【補正方法】変更
【補正の内容】
【０００９】
また、上述の構成による測量装置は、湿度、電圧、電流、温度、パワー、音量、圧力、気圧、pH値、電導度、磁場、電磁場、一酸化炭素濃度、二酸化炭素濃度、振動、回転速度、水分、塩素、濁りの度合い、酸素、もしくは風速の測定に応用することができる。